(57)【特許請求の範囲】
【請求項１】
湯水を貯湯する貯湯タンクと、
前記貯湯タンクに貯湯された温水または当該温水を熱源として生成された温水が供給され、供給された温水を利用して浴室内の空気を暖める暖房機構と、
前記暖房機構に供給される温水の一部を前記浴室内に噴射することが可能な噴射ノズルと、
前記暖房機構に供給される湯水の水温を検出する温度検出手段と、
前記噴射ノズルにより噴射を行うときに、前記温度検出手段により検出された水温が予め設定された目標温度以上となるまで前記噴射ノズルの作動を停止し、前記水温が前記目標温度以上となってから前記噴射ノズルを作動させる噴射温度維持手段と、
前記暖房機構に供給される湯水が循環する回路であって、前記噴射ノズルが接続された循環回路と、
前記貯湯タンクに貯湯された温水を利用して前記循環回路の湯水を加熱する水-水熱交換器と、
前記貯湯タンクに貯湯された温水を前記循環回路に供給することが可能な循環給湯回路と、
を備え、
前記温度検出手段は、前記循環回路の水温を検出する構成とし、
前記噴射温度維持手段は、
前記噴射ノズルにより噴射を行うときに前記循環回路の水温が前記目標温度未満である場合に、前記噴射ノズルの作動を停止した状態で前記水-水熱交換器により前記循環回路の湯水を加熱する予熱手段と、
前記予熱手段の加熱により前記循環回路の水温が前記目標温度以上となった場合に、前記循環給湯回路により前記循環回路に温水を供給し、かつ、前記噴射ノズルを作動させる噴射実行手段と、
を備えてなる浴室暖房機能付き給湯システム。
【請求項２】
湯水を貯湯する貯湯タンクと、
前記貯湯タンクに貯湯された温水または当該温水を熱源として生成された温水が供給され、供給された温水を利用して浴室内の空気を暖める暖房機構と、
前記暖房機構に供給される温水の一部を前記浴室内に噴射することが可能な噴射ノズルと、
前記暖房機構に供給される湯水の水温を検出する温度検出手段と、
前記噴射ノズルにより噴射を行うときに、前記温度検出手段により検出された水温が予め設定された目標温度以上となるまで前記噴射ノズルの作動を停止し、前記水温が前記目標温度以上となってから前記噴射ノズルを作動させる噴射温度維持手段と、
前記貯湯タンクに貯湯するための温水を生成する加熱源と、
を備え、
前記貯湯タンクに貯湯された温水に代えて、前記加熱源により生成した温水をそのまま用いることが可能である浴室暖房機能付き給湯システム。
【請求項３】
湯水を貯湯する貯湯タンクと、
前記貯湯タンクに貯湯された温水または当該温水を熱源として生成された温水が供給され、供給された温水を利用して浴室内の空気を暖める暖房機構と、
前記暖房機構に供給される温水の一部を前記浴室内に噴射することが可能な噴射ノズルと、
前記暖房機構に供給される湯水の水温を検出する温度検出手段と、
前記噴射ノズルにより噴射を行うときに、前記温度検出手段により検出された水温が予め設定された目標温度以上となるまで前記噴射ノズルの作動を停止し、前記水温が前記目標温度以上となってから前記噴射ノズルを作動させる噴射温度維持手段と、
前記噴射ノズルから噴射される温水に低温水を混合するための混合弁と、
を備えた浴室暖房機能付き給湯システム。
【請求項４】
湯水を貯湯する貯湯タンクと、
前記貯湯タンクに貯湯された温水または当該温水を熱源として生成された温水が供給され、供給された温水を利用して浴室内の空気を暖める暖房機構と、
前記暖房機構に供給される温水の一部を前記浴室内に噴射することが可能な噴射ノズルと、
前記暖房機構に供給される湯水の水温を検出する温度検出手段と、
前記噴射ノズルにより噴射を行うときに、前記温度検出手段により検出された水温が予め設定された目標温度以上となるまで前記噴射ノズルの作動を停止し、前記水温が前記目標温度以上となってから前記噴射ノズルを作動させる噴射温度維持手段と、
前記噴射ノズルから噴射される湯水にマイクロバブルを添加するマイクロバブル発生手段と、
を備えた浴室暖房機能付き給湯システム。
【発明の詳細な説明】
【技術分野】
【０００１】
本発明は、給湯機能と浴室暖房機能とを備えた浴室暖房機能付き給湯システムに関する。
【背景技術】
【０００２】
従来技術として、例えば特許文献１に記載されているように、貯湯式給湯機と浴室暖房機とを連動させる構成としたシステムが知られている。従来技術では、温水を貯湯する貯湯タンクと、浴室暖房機とを往き配管及び戻り配管により接続している。そして、貯湯タンク内の温水を熱源として浴室の暖房を行ったり、貯湯タンク内の温水を浴室に給湯するようにしている。また、従来技術では、往き配管の上流部に浴室暖房用の水-気体熱交換器が設置され、戻り配管には、浴室内に湯水を噴射する噴射ノズルが設置されている。
【先行技術文献】
【特許文献】
【０００３】
【特許文献１】特開２０１３−２４５４９号公報
【発明の概要】
【発明が解決しようとする課題】
【０００４】
上述した特許文献１に記載の従来技術では、噴射ノズルを起動すると、貯湯タンクの温水が噴射ノズルに供給されるまでの間に、往き配管及び戻り配管に残留していた低温水が噴射ノズルから浴室内に噴射されることがあり、ユーザの利便性が低下するという問題がある。
【０００５】
本発明は、上述のような課題を解決するためになされたもので、噴射ノズルを起動したときに、配管に残留していた低温水が噴射ノズルから浴室内に噴射されるのを回避し、ユーザの利便性を向上させることが可能な浴室暖房機能付き給湯システムを提供することを目的とする。
【課題を解決するための手段】
【０００６】
本発明に係る浴室暖房機能付き給湯システムは、湯水を貯湯する貯湯タンクと、貯湯タンクに貯湯された温水または当該温水を熱源として生成された温水が供給され、供給された温水を利用して浴室内の空気を暖める暖房機構と、暖房機構に供給される温水の一部を浴室内に噴射することが可能な噴射ノズルと、暖房機構に供給される湯水の水温を検出する温度検出手段と、噴射ノズルにより噴射を行うときに、温度検出手段により検出された水温が予め設定された目標温度以上となるまで噴射ノズルの作動を停止し、水温が目標温度以上となってから噴射ノズルを作動させる噴射温度維持手段と、暖房機構に供給される湯水が循環する回路であって、噴射ノズルが接続された循環回路と、貯湯タンクに貯湯された温水を利用して循環回路の湯水を加熱する水-水熱交換器と、貯湯タンクに貯湯された温水を循環回路に供給することが可能な循環給湯回路と、を備え、温度検出手段は、循環回路の水温を検出する構成とし、噴射温度維持手段は、噴射ノズルにより噴射を行うときに循環回路の水温が目標温度未満である場合に、噴射ノズルの作動を停止した状態で水-水熱交換器により循環回路の湯水を加熱する予熱手段と、予熱手段の加熱により循環回路の水温が目標温度以上となった場合に、循環給湯回路により循環回路に温水を供給し、かつ、噴射ノズルを作動させる噴射実行手段と、を備えてなるものである。
また、本発明に係る浴室暖房機能付き給湯システムは、湯水を貯湯する貯湯タンクと、貯湯タンクに貯湯された温水または当該温水を熱源として生成された温水が供給され、供給された温水を利用して浴室内の空気を暖める暖房機構と、暖房機構に供給される温水の一部を浴室内に噴射することが可能な噴射ノズルと、暖房機構に供給される湯水の水温を検出する温度検出手段と、噴射ノズルにより噴射を行うときに、温度検出手段により検出された水温が予め設定された目標温度以上となるまで噴射ノズルの作動を停止し、水温が目標温度以上となってから噴射ノズルを作動させる噴射温度維持手段と、貯湯タンクに貯湯するための温水を生成する加熱源と、を備え、貯湯タンクに貯湯された温水に代えて、加熱源により生成した温水をそのまま用いることが可能であるものである。
また、本発明に係る浴室暖房機能付き給湯システムは、湯水を貯湯する貯湯タンクと、貯湯タンクに貯湯された温水または当該温水を熱源として生成された温水が供給され、供給された温水を利用して浴室内の空気を暖める暖房機構と、暖房機構に供給される温水の一部を浴室内に噴射することが可能な噴射ノズルと、暖房機構に供給される湯水の水温を検出する温度検出手段と、噴射ノズルにより噴射を行うときに、温度検出手段により検出された水温が予め設定された目標温度以上となるまで噴射ノズルの作動を停止し、水温が目標温度以上となってから噴射ノズルを作動させる噴射温度維持手段と、噴射ノズルから噴射される温水に低温水を混合するための混合弁と、を備えたものである。
また、本発明に係る浴室暖房機能付き給湯システムは、湯水を貯湯する貯湯タンクと、貯湯タンクに貯湯された温水または当該温水を熱源として生成された温水が供給され、供給された温水を利用して浴室内の空気を暖める暖房機構と、暖房機構に供給される温水の一部を浴室内に噴射することが可能な噴射ノズルと、暖房機構に供給される湯水の水温を検出する温度検出手段と、噴射ノズルにより噴射を行うときに、温度検出手段により検出された水温が予め設定された目標温度以上となるまで噴射ノズルの作動を停止し、水温が目標温度以上となってから噴射ノズルを作動させる噴射温度維持手段と、噴射ノズルから噴射される湯水にマイクロバブルを添加するマイクロバブル発生手段と、を備えたものである。
【発明の効果】
【０００７】
本発明によれば、噴射ノズルを作動させるときに、往き配管及び戻り配管に残留していた低温水が噴射されるのを回避することができる。これにより、所望温度の温水を噴射ノズルから噴射し、ユーザの利便性を向上させることができる。
【図面の簡単な説明】
【０００８】
【図１】本発明の実施の形態１による浴室暖房機能付き給湯システムを模式的に示す構成図である。
【図２】本発明の実施の形態１において、噴射温度維持制御の一例を示すフローチャートである。
【図３】本発明の実施の形態２による浴室暖房機能付き給湯システムを模式的に示す構成図である。
【発明を実施するための形態】
【０００９】
以下、図面を参照して、本発明の実施の形態について説明する。なお、本明細書で使用する各図においては、共通する要素に同一の符号を付し、重複する説明を省略するものとする。また、本発明は、以下の実施の形態に限定されるものではなく、本発明の主旨を逸脱しない範囲で種々に変形することが可能である。また、本発明は、以下の各実施の形態に示す構成のうち、組合わせ可能な構成のあらゆる組合わせを含むものである。
【００１０】
実施の形態１．
まず、図１及び図２を参照して、本発明の実施の形態１について説明する。図１は、本発明の実施の形態１による浴室暖房機能付き給湯システムを模式的に示す構成図である。この図に示すように、本実施の形態の浴室暖房機能付き給湯システムは、貯湯式給湯機１と、後述の浴室暖房機５１とを備え、これらの機器を連動させるように構成されている。貯湯式給湯機１は、温水を生成して貯湯する機能と、浴槽４１及び浴室暖房機５１を含む給湯対象に温水を供給する機能とを備えている。なお、給湯対象には、上記の他に、浴室４０内のシャワー、カラン、浴室４０以外の部屋に設置された給湯栓等を含めてもよい。
【００１１】
貯湯式給湯機１は、ヒートポンプユニット１０及び貯湯タンク１１を備えている。ヒートポンプユニット１０は、大気熱と湯水との熱交換を行うことにより、貯湯タンク１１内の湯水を加熱する（沸上げる）もので、本実施の形態における加熱源の具体例に相当している。なお、本発明では、ヒートポンプユニット１０に代えて、電熱式の加熱源、燃焼式の加熱源等を用いてもよい。貯湯タンク１１は、ヒートポンプユニット１０により生成された温水を貯湯するもので、ヒートポンプユニット１０により加熱された温水が上部側に流入し、市水等の低温水が下部側に流入するように構成されている。これにより、貯湯タンク１１には、上部側ほど水温が高くなるように湯水が貯留される。ヒートポンプユニット１０と貯湯タンク１１とは、往き配管１２及び戻り配管１３を介して相互に接続されている。
【００１２】
往き配管１２は、貯湯タンク１１の下部からヒートポンプユニット１０に低温水を流入させるもので、電磁駆動式の三方弁等により構成された流路切換弁１４を介して貯湯タンク１１の下部に接続されている。往き配管１２には、流路切換弁１４からヒートポンプユニット１０側に向けて湯水を流通させる循環ポンプ１５が設けられている。戻り配管１３は、ヒートポンプユニット１０により加熱された温水を貯湯タンク１１の上部及び後述の給湯配管２０に導入するものである。戻り配管１３の一端側は、ヒートポンプユニット１０の流出口に接続され、戻り配管１３の他端側は、給湯配管２０の一部を介して貯湯タンク１１の上部に接続されている。戻り配管１３の途中には、電磁駆動式の四方弁等により構成された流路切換弁１６が設けられている。
【００１３】
給湯配管２０は、ヒートポンプユニット１０により加熱された温水、及び、貯湯タンク１１に貯湯された温水を水-水熱交換器２１に供給するものである。給湯配管２０の一端側は、貯湯タンク１１の上部及び戻り配管１３に接続されている。給湯配管２０の他端側は、水-水熱交換器２１の１次側の流入口に接続されている。水-水熱交換器２１の１次側の流出口は、戻り配管２２を介して流路切換弁１４に接続されている。水-水熱交換器２１は、給湯配管２０から供給される温水と、循環回路２３を流れる湯水との間で熱交換を行うことにより、循環回路２３を流れる湯水を加熱するものである。
【００１４】
循環回路２３は、水-水熱交換器２１の２次側と後述の気-液熱交換器５２との間に湯水を循環させる回路であり、これらの熱交換機２１，５２の間に接続されている。循環回路２３には、湯水を循環させるための循環ポンプ２４が設けられている。また、給湯配管２０は、電磁弁２５及び給湯分岐配管２６を介して循環回路２３に接続され、循環回路２３にも温水を供給可能に構成されている。給湯配管２０、電磁弁２５及び給湯分岐配管２６は、貯湯タンク１１の温水を循環回路２３に供給する循環給湯回路の具体例に相当している。また、給湯配管２０には、浴槽給湯配管２７の一端側が接続されている。浴槽給湯配管２７の他端側は、三方弁等により構成された流路切換弁２８及び混合弁２９を介して浴槽４１に接続されている。一方、往き配管１２のうち循環ポンプ１５よりも下流側の部位は、バイパス配管３０を介して流路切換弁１６に接続されている。また、流路切換弁１６は、戻り配管３１を介して貯湯タンク１１の下部に接続されている。
【００１５】
次に、浴室４０の上部に設置された浴室暖房機５１について説明する。浴室暖房機５１は、浴室４０の暖房及び乾燥を行ったり、必要に応じて浴室４０の保湿を行うものである。浴室暖房機５１は、気-液熱交換器５２、送風ファン５３、噴射ノズル５４、電磁弁５５、混合弁５６、サーミスタ５７等を備えている。気-液熱交換器５２は、循環回路２３から供給される温水を利用して浴室４０内の空気を暖めるもので、本実施の形態における暖房機構の具体例に相当している。循環回路２３には、後述のように、貯湯タンク１１に貯湯された温水と、ヒートポンプユニット１０から循環回路２３に直接供給される温水と、これらの温水を熱源として水-水熱交換器２１により加熱された温水とが流通可能となっている。
【００１６】
気-液熱交換器５２は、循環回路２３を流れる温水と、空気との間で熱交換を行うことにより、浴室４０内の空気を暖める。送風ファン５３は、気-液熱交換器５２により暖められた空気を浴室４０内に送風し、浴室４０の暖房を行うものである。噴射ノズル５４は、循環回路２３を流れる温水の一部を浴室４０内に噴射し、浴室４０内に暖かいミストを発生させる。これにより、後述の温水噴射運転では、暖かいミストにより浴室４０の暖房及び保湿を行い、サウナ機能を実現することができる。噴射ノズル５４は、電磁弁５５及び混合弁５６を介して循環回路２３に接続されている。
【００１７】
電磁弁５５は、噴射ノズル５４による温水の噴射を実行及び停止するものである。即ち、電磁弁５５の開弁時には、噴射ノズル５４が作動して温水が噴射され、電磁弁５５の閉弁時には、温水の噴射が停止する。混合弁５６は、噴射ノズル５４から噴射される温水に市水等の低温水を混合することにより、噴射される温水の温度を調整するものである。サーミスタ５７は、循環回路２３を流れる湯水の水温を検出するもので、本実施の形態における温度検出手段の具体例に相当している。
【００１８】
また、貯湯式給湯システムは、貯湯式給湯機１と浴室暖房機５１とを制御する制御部６０を備えている。制御部６０は、制御プログラムが予め記憶された記憶回路と、前記制御プログラムに基いて制御を行う演算処理装置と、信号の入出力を行う入出力回路とを備えている。制御部６０の入力側には、貯湯式給湯機１及び浴室暖房機５１に搭載された各種のセンサが接続されている。このセンサには、サーミスタ５７が含まれている。制御部６０の出力側には、ヒートポンプユニット１０、流路切換弁１４，１６，２８、循環ポンプ１５、循環ポンプ２４、電磁弁２５，５５、混合弁２９，５６、送風ファン５３、噴射ノズル５４等のアクチュエータが接続されている。制御部６０は、各センサの検出信号等に基いてアクチュエータを駆動することにより、以下に述べる沸上げ運転、給湯運転、浴室暖房運転、温水噴射運転、噴射温度維持制御等を実行する。
【００１９】
（沸上げ運転）
沸上げ運転では、流路切換弁１４，１６，２８を沸上げ用の位置に切換えると共に、電磁弁２５を閉弁することにより、沸上げ循環回路を形成する。そして、ヒートポンプユニット１０及び循環ポンプ１５を作動させる。沸上げ循環回路は、貯湯タンク１１の下部から流路切換弁１４、循環ポンプ１５、往き配管１２、ヒートポンプユニット１０、戻り配管１３、流路切換弁１６、給湯配管２０の一部を順次経由して貯湯タンク１１の上部に至る流路である。沸上げ循環回路の形成時には、流路切換弁１４が戻り配管２２を閉塞し、流路切換弁２８が浴槽給湯配管２７を閉塞した状態となる。沸上げ運転によれば、貯湯タンク１１の下部から取出された低温水が沸上げ循環回路を流通するので、この低温水をヒートポンプユニット１０により加熱して高温水を生成し、生成した高温水を貯湯タンク１１の上部側に貯湯することができる。
【００２０】
（給湯運転）
給湯運転では、流路切換弁１４，１６，２８を給湯用の位置に切換えると共に、電磁弁２５を閉弁することにより、浴槽給湯回路を形成する。浴槽給湯回路は、貯湯タンク１１の上部から給湯配管２０の一部、浴槽給湯配管２７、流路切換弁２８、混合弁２９を順次経由して浴槽４１に至る流路である。浴槽給湯回路の形成時には、流路切換弁１４が戻り配管２２を閉塞し、流路切換弁１６が戻り配管１３を閉塞した状態となる。給湯運転によれば、貯湯タンク１１の上部から取出された温水が浴槽給湯回路を流通するので、この温水の温度を混合弁２９から供給される低温水により調整しつつ、当該温水を浴槽４１に給湯することができる。
【００２１】
（浴室暖房運転）
浴室暖房運転は、貯湯式給湯機１と浴室暖房機５１とを作動させることにより、浴室４０の暖房を行うものである。浴室暖房運転では、貯湯タンク１１に貯湯された温水を熱源として用いる第１暖房運転と、ヒートポンプユニット１０により生成した温水をそのまま熱源として用いる第２暖房運転のうち何れか一方の運転が実行される。
【００２２】
第１暖房運転では、流路切換弁１４，１６，２８を第１暖房用の位置に切換えることにより、第１加熱回路を形成する。そして、循環ポンプ１５，２４及び送風ファン５３を作動させる。なお、電磁弁２５は、後述のように循環回路２３に高温水を導入する場合を除いて、閉弁状態に保持する。第１加熱回路は、貯湯タンク１１の上部から給湯配管２０、水-水熱交換器２１の１次側、戻り配管２２、流路切換弁１４、循環ポンプ１５、往き配管１２の一部、バイパス配管３０、流路切換弁１６、戻り配管３１を順次経由して貯湯タンク１１の下部に至る経路である。第１加熱回路の形成時には、流路切換弁２８が浴槽給湯配管２７を閉塞し、流路切換弁１６が戻り配管１３を閉塞した状態となる。
【００２３】
これにより、第１暖房運転では、貯湯タンク１１の上部から取出された高温水がタンク利用加熱回路を流通し、この高温水が水-水熱交換器２１において循環回路２３を流れる湯水を加熱するので、循環回路２３から気-液熱交換器５２に温水が供給される。この結果、気-液熱交換器５２により周囲の空気が暖められ、暖められた空気は、送風ファン５３により浴室４０内に送風される。従って、第１暖房運転によれば、貯湯タンク１１に貯湯された温水を熱源として、浴室４０の暖房を行うことができる。
【００２４】
一方、第２暖房運転では、流路切換弁１４，１６，２８を第２暖房用の位置に切換えることにより、第２加熱回路を形成する。そして、ヒートポンプユニット１０、循環ポンプ１５，２４及び送風ファン５３を作動させる。なお、電磁弁２５については、第１暖房運転の場合と同様に制御する。第２加熱回路は、ヒートポンプユニット１０の流出口から戻り配管１３、流路切換弁１６、給湯配管２０、水-水熱交換器２１の１次側、戻り配管２２、流路切換弁１４、循環ポンプ１５、往き配管１２を順次経由してヒートポンプユニット１０の流入口に至る回路である。第２加熱回路の形成時には、流路切換弁２８が浴槽給湯配管２７を閉塞し、流路切換弁１６がバイパス配管３０及び戻り配管３１を閉塞した状態となる。
【００２５】
これにより、第２暖房運転では、ヒートポンプユニット１０により加熱された高温水が第２加熱回路を流通し、この高温水が水-水熱交換器２１において循環回路２３を流れる湯水を加熱する。従って、貯湯タンク１１の温水を消費しなくても、ヒートポンプユニット１０により加熱された温水を熱源として、浴室４０の暖房を行うことができる。
【００２６】
なお、浴室暖房運転中には、電磁弁２５を開弁し、貯湯タンク１１に貯湯された温水またはヒートポンプユニット１０により加熱された温水を循環回路２３に直接流入させる構成としてもよい。これにより、例えば浴室暖房運転の開始時には、水-水熱交換器２１で熱交換を行わなくても、気-液熱交換器５２に対して温水を短時間で供給することができ、浴室４０の暖房を速やかに開始することができる。
【００２７】
（温水噴射運転）
温水噴射運転は、噴射ノズル５４から浴室４０内に温水を噴射し、浴室４０の暖房及び保湿を行うものである。温水噴射運転では、貯湯タンク１１に貯湯された温水を噴射に用いる第１噴射運転と、ヒートポンプユニット１０により生成した温水をそのまま噴射に用いる第２噴射運転のうち何れか一方の運転が実行される。
【００２８】
第１噴射運転では、電磁弁２５，５５を開弁すると共に、流路切換弁１４，１６，２８を第１噴射用の位置に切換えることにより、第１噴射回路を形成する。第１噴射回路は、貯湯タンク１１の上部から給湯配管２０、電磁弁２５、給湯分岐配管２６、循環回路２３、混合弁５６、電磁弁５５を順次経由して噴射ノズル５４に至る回路である。第１噴射回路の形成時には、流路切換弁１４が戻り配管２２を閉塞し、流路切換弁１６が戻り配管１３を閉塞すると共に、流路切換弁２８が浴槽給湯配管２７を閉塞した状態となる。
【００２９】
これにより、第１噴射運転では、貯湯タンク１１の上部から取出された高温水が第１噴射回路を介して噴射ノズル５４に供給される。このとき、制御部６０は、サーミスタ５７により検出した水温に基いて、混合弁５６による高温水と低温水の混合比を調整することにより、噴射ノズル５４に供給される温水の温度を適切に制御する。この結果、噴射ノズル５４から適温の温水を噴射し、浴室４０内に温水のミストを生成することができる。従って、第１噴射運転によれば、貯湯タンク１１に貯湯された温水を用いて、浴室４０の暖房及び保湿を行うことができる。
【００３０】
一方、第２噴射運転では、電磁弁２５，５５を開弁すると共に、流路切換弁１４，１６，２８を第２噴射用の位置に切換えることにより、第２噴射回路を形成する。そして、ヒートポンプユニット１０及び循環ポンプ１５を作動させる。第２噴射回路は、貯湯タンク１１の下部から流路切換弁１４、循環ポンプ１５、往き配管１２、ヒートポンプユニット１０、戻り配管１３、流路切換弁１６、給湯配管２０、電磁弁２５、給湯分岐配管２６、循環回路２３、混合弁５６、電磁弁５５を順次経由して噴射ノズル５４に至る回路である。第２噴射回路の形成時には、流路切換弁１４が戻り配管２２を閉塞し、流路切換弁１６がバイパス配管３０及び戻り配管３１を閉塞すると共に、流路切換弁２８が浴槽給湯配管２７を閉塞した状態となる。
【００３１】
これにより、第２噴射運転では、貯湯タンク１１の下部から取出された低温水がヒートポンプユニット１０により加熱されて高温水となる。そして、この高温水は、第２噴射回路を流通しつつ、混合弁５６により適温に調整された状態で噴射ノズル５４に供給され、噴射ノズル５４から浴室４０内に噴射される。従って、第２噴射運転によれば、貯湯タンク１１の温水を消費しなくても、ヒートポンプユニット１０により加熱された温水を用いて、浴室４０の暖房及び保湿を行うことができる。
【００３２】
（噴射温度維持制御）
上述したように、温水噴射運転時には、給湯配管２０から循環回路２３に温水が供給され、この温水が噴射ノズル５４から噴射される。しかし、循環回路２３には、前回の温水噴射運転または浴槽暖房運転により供給された温水が冷えた状態で残留していることがある。このような残留水（死水）が存在した状態で温水噴射運転を開始すると、給湯配管２０側の温水が噴射ノズル５４に到達する前に、低温の残留水が噴射ノズル５４から浴室４０内に噴射される虞れがある。
【００３３】
このため、本実施の形態では、噴射温度維持制御を実行する。噴射温度維持制御は、温水噴射運転を行うときに、循環回路２３の水温が予め設定された目標温度以上となるまで噴射ノズル５４の作動を停止し、前記水温が目標温度以上となってから噴射ノズル５４を作動させるものである。ここで、目標温度は、例えば浴室４０内に噴射するのに適した水温の最低値に基いて設定されるもので、一例を挙げると、６０℃程度に設定され、制御部６０に予め記憶されている。
【００３４】
図２は、本発明の実施の形態１において、噴射温度維持制御の一例を示すフローチャートである。この図に示すルーチンは、ユーザの操作等により温水噴射運転を行う要求が発生した場合に実行される。図２に示すルーチンでは、まず、ステップＳ１において、サーミスタ５７により循環回路２３の水温を検出する。
【００３５】
次に、ステップＳ２では、サーミスタ５７による検出水温が予め設定された目標温度以上であるか否かを判定する。ステップＳ２の判定が成立した場合には、循環回路２３の水温が十分に高く、低温の残留水が存在しないと判断される。そこで、この場合には、ステップＳ３，Ｓ４で電磁弁２５，５５を開弁することにより、温水噴射運転を開始する。
【００３６】
一方、ステップＳ２の判定が不成立の場合には、循環回路２３に低温の残留水が存在すると判断されるので、温水噴射運転を実行することなく、ステップＳ５に移行する。そして、ステップＳ５では、予熱運転を実行し、ステップＳ１に戻る。予熱運転とは、送風ファン５３を停止した状態で、前述の浴室暖房運転（第１暖房運転と第２暖房運転の何れでもよい）と同様の運転を行うものである。即ち、予熱運転によれば、噴射ノズル５４を停止した状態において、循環回路２３内の残留水を循環ポンプ２４により循環させながら、貯湯式給湯機１側の温水を熱源として水-水熱交換器２１により残留水を加熱することができる。
【００３７】
そして、予熱運転により循環回路２３内の水温が目標温度以上に上昇した場合には、ステップＳ２の判定が成立するので、ステップＳ３，Ｓ４により温水噴射運転が実行される。この結果、例えば１０℃程度の残留水が存在する場合でも、この残留水を６０℃まで加熱した後に、噴射ノズル５４から浴室４０内に噴射することができ、温水噴射運転の効果を十分に発揮することができる。従って、本実施の形態によれば、循環回路２３内の残留水が低温のまま噴射ノズル５４から噴射されるのを回避することができ、所望温度の温水を噴射ノズル５４から噴射し、ユーザの利便性を向上させることができる。
【００３８】
また、本実施の形態では、貯湯タンク１１に貯湯された温水に代えてヒートポンプユニット１０により生成した温水をそのまま用いることが可能な構成としたので、貯湯タンク１１に十分な量の温水が貯湯されている場合には、前述の第１暖房運転及び第１噴射運転を選択することができる。また、例えば温水が速やかに必要な場合には、第２暖房運転及び第２噴射運転を選択することができ、状況に応じて運転を使い分けることができる。
【００３９】
また、本実施の形態では、混合弁５６を備えているので、噴射ノズル５４から噴射する温水の温度を混合弁５６により適切に調整することができる。これにより、所望温度のミストを供給することができ、ユーザの利便性を高めることができる。
【００４０】
なお、本実施の形態では、制御部６０及び図２に示す噴射温度維持制御が噴射温度維持手段の具体例を示している。また、図２中のステップＳ２，Ｓ３，Ｓ４は、噴射実行手段の具体例を示し、ステップＳ２，Ｓ５は、予熱手段の具体例を示している。また、本実施の形態では、前述した第１加熱回路と第１噴射回路とを同時に形成するか、または、第２加熱回路と第２噴射回路とを同時に形成することにより、浴室暖房運転と温水噴射運転とを一緒に行うことができる。
【００４１】
実施の形態２．
次に、図３を参照して、本発明の実施の形態２について説明する。図３は、本発明の実施の形態２による浴室暖房機能付き給湯システムを模式的に示す構成図である。この図に示すように、本実施の形態のシステムは、実施の形態１とほぼ同様に構成されているものの、マイクロバブル発生手段としてのマイクロバブル発生装置７０を搭載している点で、実施の形態１と異なっている。
【００４２】
マイクロバブル発生装置７０は、噴射ノズル５４から浴室４０内に噴射される温水にマイクロバブルを添加するもので、電磁弁５５と噴射ノズル５４との間に配置されている。マイクロバブル発生装置７０は、例えば超音波、加熱、振動、旋回水流等の手段により、水中に送り込んだ空気を微細化し、水中に微細な気泡を生成するものである。マイクロバブル発生装置７０は、浴室４０の清掃を目的とした清掃運転を行うときに用いられる。
【００４３】
（清掃運転）
清掃運転は、制御部６０により行われるもので、例えば浴室４０が無人であるときに、ユーザの設定操作等に基いて実行される。清掃運転では、前述の温水噴射運転と同様の方法により、噴射ノズル５４から温水を噴射しつつ、マイクロバブル発生装置７０を作動させる。これにより、マイクロバブルを含んだ温水が噴射ノズル５４から浴室４０内に噴射され、噴射された温水は浴室４０の壁面等に付着する。一般に、マイクロバブルを含んだ温水は、壁面に付着した汚れ、カビ等に対して高い除去効果を有している。
【００４４】
従って、清掃運転によれば、マイクロバブル入りの温水を用いて浴室４０の壁面を効率よく清掃することができる。また、清掃運転時においても、前記実施の形態１で述べた制御手法を適用することにより、循環回路２３内に存在する低温の残留水がマイクロバブルと共に噴射されるのを回避することができる。これにより、汚れの除去効果が低い低温水を無駄に噴射しなくてよいので、清掃運転を効率よく行うことができる。
【符号の説明】
【００４５】
１  貯湯式給湯機
１０  ヒートポンプユニット（加熱源）
１１  貯湯タンク
１２  往き配管
１３  戻り配管
１４，１６  流路切換弁
１５  循環ポンプ
２０  給湯配管（循環給湯回路）
２１  水-水熱交換器
２２  戻り配管
２３  循環回路
２４  循環ポンプ
２５  電磁弁（循環給湯回路）
２６  給湯分岐配管（循環給湯回路）
２７  浴槽給湯配管
２８  流路切換弁
２９  混合弁
３０  バイパス配管
３１  戻り配管
４０  浴室
４１  浴槽
５１  浴室暖房機
５２  気-液熱交換器（暖房機構）
５３  送風ファン
５４  噴射ノズル
５５  電磁弁
５６  混合弁
５７  サーミスタ（温度検出手段）
６０  制御部
７０  マイクロバブル発生装置（マイクロバブル発生手段）
【図１】
0006582420.tif 000002
【図２】
0006582420.tif 000003
【図３】
0006582420.tif 000004